(57)【要約】本発明は、基板（１）と、少なくとも１つのＬＥＣ（７）（発光電気化学セル）と、少なくとも１つのさらなる電気工学構造エレメント（４，５，８）とを備える層状構造と、この層状構造の製造のための工程と、小さなおよび大きなディスプレイと制御エレメントとの製造、およびモバイル式または固定式の電子装置、あるいは小さなまたは大きな家庭用電化製品のためのケーシングエレメントの製造、または移動コンポーネントのないキーボードシステムの製造における上記層状構造および工程の使用とを提供する。
2013534642.tif 000002
【特許請求の範囲】
【請求項１】
Ａ）基板（１）と、
Ｂ）少なくとも１つの発光電気化学セル、すなわちＬＥＣ（７）と、
Ｃ）アンテナ（４）、スイッチ、センサ（５）、バッテリー（８）、太陽電池、エネルギー変換器、またはこれらの電気工学構造エレメントのうちの２以上の同一または異なる電気工学構造エレメントの組み合わせからなるグループから選ばれた少なくとも１つのさらなる電気工学構造エレメントと
を備え、
上記少なくとも１つのＬＥＣ（７）と、上記少なくとも１つのさらなる電気工学構造エレメント（４，５，８）とは、印刷プロセスによって上記基板（１）に設けられ、
少なくとも１つの３次元成形された領域（９）を有し、および／または、全体として３次元成形されていることを特徴とする層状構造。
【請求項２】
請求項１に記載の層状構造において、
少なくとも１つのさらなる電気工学構造エレメントは、バッテリー（８）であることを特徴とする層状構造。
【請求項３】
請求項１または２に記載の層状構造において、
上記層状構造は、アンテナ（４）、スイッチ、センサ（５）、太陽電池、アクチュエーター、エネルギー変換器、またはこれらの電気工学構造エレメントのうちの２以上の同一または異なる電気工学構造エレメントの組み合わせからなるグループから選ばれた少なくとも１つのさらなる電気工学構造エレメントを備えていることを特徴とする層状構造。
【請求項４】
請求項１に記載の層状構造において、
上記基板（１）は、ポリカーボネート（ＰＣ）、ポリエステル、好ましくはポリエチレンテレフタレート（ＰＥＴ）、ポリエチレンナフタレート（ＰＥＮ）、ポリメチルメタクリレート（ＰＭＭＡ）、ポリアミド、ポリイミド、ポリアリレート、有機熱可塑性セルロースエステルおよびポリフルオロ炭化水素、またはこれらのポリマーの混合物からなるグループから選ばれた、または、好ましくは、ポリカーボネート、ポリエチレンテレフタレート、ポリエチレンナフタレートおよびポリイミドから選ばれた、特に好ましくは、ポリカーボネート、ポリエチレンテレフタレート、ポリエチレンナフタレートから選ばれたポリマーから実質的にまたは全体として構成されていることを特徴とする層状構造。
【請求項５】
請求項１に記載の層状構造において、
上記少なくとも１つのＬＥＣ（７）は、上記基板（１）に面する側にバリア層および陽極層が設けられていることを特徴とする層状構造。
【請求項６】
請求項１に記載の層状構造において、
上記少なくとも１つのＬＥＣ（７）は、上記基板（１）から遠い側に金属フォイルと同様の陽極層または第２バリア層およびキャリア層が設けられ、
好ましくは、上記金属フォイルおよび上記キャリア層を有する上記バリア層は、接着層によって接着されていることを特徴とする層状構造。
【請求項７】
請求項１に記載の層状構造において、
上記層状構造は、さらなる層および／またはコンポーネント、すなわち、
１以上の電気ストリップ導体、任意に１以上の絶縁層、任意に１以上の保護層、任意に１以上の装飾層、任意に１以上のカラーフィルター、任意に１以上のシールドを有していることを特徴とする層状構造。
【請求項８】
請求項１に記載の層状構造において、
上記層状構造は、少なくとも１つの領域で３次元成形され、この３次元成形された領域には、バッテリー（８）、アンテナ（４）、スイッチ、センサ（５）、太陽電池、アクチュエーター、またはエネルギー変換器が設けられていることを特徴とする層状構造。
【請求項９】
請求項８に記載の層状構造において、
上記成形された領域における上記層状構造の曲率半径は、１０ｍｍ未満、好ましくは５ｍｍ未満、特に好ましくは２ｍｍ未満、最も好ましくは１ｍｍ未満であることを特徴とする層状構造。
【請求項１０】
請求項１に記載の層状構造を製造するための工程であって、
（１）全表面、または表面の一部の上に、少なくとも１つのバリア層および少なくとも１つの陽極層が設けられている基板（１）を準備するステップと、
（２）上記少なくとも１つの陽極層および任意の電気ストリップ導体を任意に組み立てるステップと、
（３）上記少なくとも１つのバリア層と少なくとも１つの陽極層との両方が提供されているエリアで、少なくとも１つのＬＥＰ層を上記基板（１）に設けるステップと、
（４）上記少なくとも１つのＬＥＰ層が配置されたエリアに少なくとも１つの陰極層を少なくとも設け、任意に電気ストリップ導体を設けるステップと、
（５）上記少なくとも１つのＬＥＣが配置されているエリアに接着剤層を少なくとも設けるステップと、
（６）上記少なくとも１つのＬＥＣが、２つのバリア層の間に位置するように配置されたエリアに少なくとも１つの金属フォイルまたは第２バリア層およびキャリア層を少なくとも設けるステップと、
（７）上記少なくとも１つのさらなる電気工学構造エレメント（４，５，８）を設けるステップと、
（８）さらなる電気工学構造エレメント、または複数のさらなる電気工学構造エレメント（４，５，８）を任意に設けるステップと
を備え、
１以上の電気ストリップ導体、任意に１以上の絶縁層、任意に１以上の保護層、任意に１以上の装飾層、任意に１以上のカラーフィルターが付加的に設けられ、
その後、上記層状構造は、少なくとも１つの領域で、および／または全体として、３次元成形され、
上記ＬＥＰ層、上記陰極層、上記接着剤層、任意に上記第２バリア層、上記電気ストリップ導体、存在する上記絶縁層、存在する上記保護層、および存在する上記装飾層が、任意に上記陽極層と同様に、印刷プロセスによって完全に設けられることを特徴とする工程。
【請求項１１】
請求項１０に記載の工程において、
（ａ）上記ステップは、示されたシーケンスで実行され、または、
（ｂ）ステップ（７）および任意にステップ（８）は、ステップ（２）後に、どの時点でも実行されることを特徴とする工程。
【請求項１２】
請求項１０に記載の工程において、
成形加工は、アイソスタティック高圧成形加工または熱成形加工によって実現されることを特徴とする工程。
【請求項１３】
請求項１０に記載の工程において、
上記３次元成形された層状構造は、バックインジェクトされていることを特徴とする工程。
【請求項１４】
小さなおよび大きなディスプレイと制御エレメントとの製造における、およびモバイル式または固定式の電子装置あるいは小さなまたは大きな家庭用電化製品のためのケーシングエレメントの製造における、または移動コンポーネントのないキーボードシステムの製造における、請求項１に記載の層状構造または請求項１０に記載の工程によって製造された層状構造の使用。
【発明の詳細な説明】
【技術分野】
【０００１】
本発明は、基板、少なくとも１つのＬＥＣ(発光電気化学セル（light emitting electrochemical cell）)および少なくとも１つのさらなる電気工学構造エレメントを備える層状構造と、この層状構造の製造のための工程と、小さなおよび大きなディスプレイと制御エレメントとの製造、およびモバイル式または固定式の電子装置、あるいは小さなまたは大きな家庭用電化製品のためのケーシングエレメントの製造、または移動コンポーネントのないキーボードシステムの製造における上記層状構造および工程の使用とを提供する。
【背景技術】
【０００２】
多くの技術領域では、電気装置または電子装置は、コンポーネント「光」、すなわち、照明またはディスプレイを備えている必要がある。これは、例えばスイッチのバックライトでありうる。このバックライトは、スイッチ位置および／またはスイッチのオン／オフ状態を示す。または、それは携帯電話のディスプレイでありうる。このディスプレイは、携帯電話のアンテナが信号を受け取るとき、発光する。さらに、スイッチまたはアンテナとは別に、他の電気工学構造エレメントに照明を設けることもできる。好ましくは、コンポーネント「光」は、電気的に操作されたランプまたはディスプレイを使用して、利用可能になる。
【０００３】
さらに、位置と無関係に、および暗闇の中でさえ、そのような電気装置または電子装置を操作できることが必要である。このことは、バッテリーまたは蓄電池を含まなければならないことを意味する。しかし、さらに、高電圧電源、例えば層状構造を備える装置、例えば自動車の独立した操作コンソールのバッテリー、製品、例えば上記装置が取り付けられている自動車のバッテリー、例えば層状構造が家庭用電化製品に取り付けられているときの全国の電力網に、接続することができるべきである。
【０００４】
上記装置は、できるだけ軽くて平らであるべきである。これは、上記装置が設けられている層状構造もできるだけ軽くて平らでなければならないことを意味している。したがって、上記層状構造は、必要であるバッテリーをさらに含み、このバッテリーは、層状構造のすべての電気工学構造エレメントに電力を供給する。上記装置の組立を容易にするために、層状構造は、１つだけ基板を含み、１つだけコンポーネントを成形している。上記層状構造が電気装置または電子装置の組み立て中に安定したままであるために、層状構造のバックインジェクション（back injection）が可能である。
【０００５】
故障にできるだけ影響されず、かつ表面を清潔にしやすくするために、上記層状構造は、移動コンポーネントを有しておらず、ギャップのない連続的な表面を形成している。
【０００６】
ユーザを引き付け、かつ装置の動作を容易にするために、上記装置は３次元成形された領域を有している。
【０００７】
電気装置または電気工学装置をできるだけ低いコストで顧客に供給できるために、層状構造をできるだけ単純かつ安価に製作することができる。したがって、印刷プロセスによって、またはスプレー塗装によって、少なくとも部分的に層状構造を製作することができる。また、この理由のために、正確に機能するために酸素および湿気に対する高価なバリア層を必要とする電気工学構造エレメントを省略することができる。
【０００８】
そのような装置は、先行技術から原則としては周知である。例えば、スイッチは、
例えば、家庭用電化製品などの装置上のスイッチ、またはエントランスホールのライトスイッチが、暗闇や、不十分な照明状態においてさえ操作されるのを許容するバックライトをしばしば有している。さらに、対応する照明は、「オン」または「オフ」状態のようなスイッチの状態も示している。一般に、発光ダイオード（ＬＥＤ）または、小さな従来のランプは、スイッチのバックライトのための光源として使用され、いくつかの場合において、光は、追加の拡散フォイル、またはいわゆる光ファイバー、または光導波路によって拡散される。スイッチとバックライトの組み合わせは、例えばメカニカルスイッチと対応するＬＥＤ、メカニカルスイッチとＡＣＰＥＬフォイル（ＡＣＰＥＬ＝交流粉体エレクトロルミネセンス（alternating current powder electroluminescence）)、または印刷されたスイッチとＬＥＤのような少なくとも２つの分離したユニットから従来できている。分離したエレメントからなる照らされたスイッチの先行技術から知られているこれらの組み合わせは、スイッチのために機械的なコンポーネントを使用するために、上記組み合わせが供給するのには高価であると共に、故障およびメンテナンスの観点から敏感であるという欠点を有している。さらに、より大きな重量と、形状、したがってデザインに関する自由の制限と、より大きな取り付け深さというような、さらなる欠点が生じている。
【０００９】
例えば、ＵＳ２００９／１０８９８５Ａ１は、ＬＥＤによってバックライトされる印刷された容量性スイッチを開示している。しかしながら、ＬＥＤは印刷されていない。ＵＳ２００５／０２０６６２３Ａ１は、ＡＣＰＥＬフォイルによってバックライトされる容量性スイッチを開示している。ＵＳ２００８／２０２９１２Ａ１は、ＬＥＤまたはＯＬＥＤ（ＯＬＥＤ＝有機発光ダイオード（organic light emitting diode））によってバックライトされる容量性スイッチを開示している。ＵＳ２００７／０３１１６１Ａ１は、形成されると共にバックインジェクトされた（back-injected）プラスチックフォイルの上の印刷された容量性スイッチを開示している。しかしながら、この文書は、スイッチがバックライトされることを開示していない。しかしながら、例えば、ＡＣＰＥＬフォイルが印刷されると共にバックインジェクトされうることは、ＷＯ９８／４９８７１Ａ１から周知である。
【００１０】
ＡＣＰＥＬフォイルは、高周波（典型的に４００Ｈｚ）において、高い交流電圧（典型的に１１０Ｖ）から成る電源を必要とする欠点がある。特別な電子ドライバーがそのために利用可能にならなければならず、これは追加の費用を生じさせる。例えば容量性スイッチを備えたＡＣＰＥＬフォイルの組み合わせのさらなる欠点は、a)ＡＣＰＥＬフォイルおよびb)容量性スイッチを必要とする電源またはトリガー信号が相互に作用することである。したがって、一方では、好ましくない妨害および関連する機能不全が生じないように層間に電磁遮蔽を設ける必要がある。他方では、電気遮蔽にもかかわらず、妨害を完全には除去することができず、したがって、読み出し回路は、よりノイズの信号（貧弱な信号対雑音比）を処理しなければならないので、追加費用が、容量性スイッチの読み出し回路の観点で必要である。さらに、スイッチ信号が確実に識別される特に暗闇(スイッチがオンされたＡＣＰＥＬフォイル)および光（スイッチがオフされたＡＣＰＥＬフォイル)ロジックを生成するために、特に付加的に必要である。ＡＣＰＥＬフォイルを操作するのに必要な比較的高電圧は、故障が生じた場合に操作者にとって危険になりうる。
【００１１】
ＡＣＰＥＬフォイルが、他のタイプのスイッチ、例えば抵抗性のスイッチや、電磁界または電磁波に敏感な他の電気工学構造エレメント、例えばアンテナまたはセンサと結合するとき、この不適当な相互作用の問題が同様に生じる。
【００１２】
ＬＥＤは、他の電気工学構造エレメントとのこの電磁相互作用の欠点を有していない。しかし、ＬＥＤを３次元で成形できないので、それらは、光学的な拡散フォイルと組み合わせても、他の３次元成形構造エレメントを一様に影なしでバックライトすることはできない。電気工学構造エレメントのバックライトについては、ＬＥＤがそのエレメントの下に配置されていれば、または、ＬＥＤが、拡散フォイル、いわゆる光ファイバー、または光導波路のような追加の高価な構造を必要とすれば、ＬＥＤは、さらに配置の取り付け深さを増加させる。ＯＬＥＤおよびＰＬＥＤ（ＰＬＥＤ＝ポリマー発光ダイオード（polymeric light emitting diode））には、ＬＥＤについて最後に言及した欠点がないが、ＯＬＥＤおよびＰＬＥＤは、酸素と湿気に極端に敏感である。これは、ＯＬＥＤおよびＰＬＥＤが、非常に高品質のバリアフォイルまたは層によって、極端にコストをかけて、酸素および湿気から保護されなければならないことを意味している。
【００１３】
そのようなバリアフォイルまたは層は、10-6g/m-2日の水蒸気透過性および10-5cm3/m-2日の酸素透過性を通常有している。
【発明の概要】
【００１４】
したがって、発明の目的は、少なくとも1つのさらなる電気工学構造エレメントと結合して、電気エネルギーによって操作されるランプを有する単一基板上の層状構造を提供することである。
【００１５】
上記層状構造のランプは、少なくとも1つのさらなる電気工学構造エレメントと電磁気的に相互作用しない。また、小さな直流電圧でランプを操作することができる。
【００１６】
上記層状構造は、さらに、小さな厚さを有し、移動コンポーネントを有さず、ギャップのない連続的な表面を形成し、できるだけ軽く、３次元成形領域を有し、バックインジェクト可能である。
【００１７】
上記層状構造は、製造するのに単純であるとともに安価である。したがって、上記層状構造は、正確に機能するために酸素と湿気に対する非常に高価なバリア層を必要とする電気工学構造コンポーネントを省略することができる。
【００１８】
上記課題は、メインクレームの特徴を有する層状構造、すなわち、以下の層状構造によって達成される。
Ａ）基板と、
Ｂ）少なくとも１つのＬＥＣ（発光電気化学セル（light emitting electrochemical cell））と、
Ｃ）アンテナ、スイッチ、センサ、バッテリー、太陽電池、エネルギー変換器、またはこれらの電気工学構造エレメントのうちの２以上の同一または異なる電気工学構造エレメントの組み合わせからなるグループから選ばれた少なくとも１つのさらなる電気工学構造エレメントと
を備え、
上記少なくとも１つのＬＥＣと、上記少なくとも１つのさらなる電気工学構造エレメントとは、印刷プロセスによって上記基板に設けられ、
少なくとも１つの３次元成形された領域を有し、および／または、全体として３次元成形されている層状構造。
【００１９】
好適な実施形態は、従属クレームに記載されている。
【００２０】
印刷プロセスの使用によって、低コストかつ多数の層状構造を製造することができる。ＬＥＣ技術は、競合する技術と比較して、印刷プロセスに特に適している。
【００２１】
上記基板は、ポリカーボネート（ＰＣ）、ポリエステル、好ましくはポリエチレンテレフタレート（ＰＥＴ）、ポリエチレンナフタレート（ＰＥＮ）、ポリメチルメタクリレート（ＰＭＭＡ）、ポリアミド、ポリイミド、ポリアリレート、有機熱可塑性セルロースエステルおよびポリフルオロ炭化水素、またはこれらのポリマーの混合物からなるグループから選ばれた、または、好ましくは、ポリカーボネート、ポリエチレンテレフタレート、ポリエチレンナフタレートおよびポリイミドから選ばれた、特に好ましくは、ポリカーボネート、ポリエチレンテレフタレート、ポリエチレンナフタレートから選ばれたポリマーから、実質的に、または全体が構成されている。好ましくは、上記基板は、上述した材料のうちの１つのフォイルである。本発明の範囲内のフォイルは、１０μｍから１０００μｍまで、好ましくは５０μｍから７５０μｍまて、特に好ましくは１２５μｍから５００μｍまでの厚さを有している実質的な二次元物体であるとして理解される。本発明の範囲内で、実質的な二次元物体は、大きな表面の長さが二次元物体の厚さより少なくとも１０倍は大きいことを意味すると理解され、それらの長さが同じである、または異なっていることは可能である。
【００２２】
ポリカーボネートは、例えば、ビスフェノールＡに基づいたものであり、特にバイエルマテリアルサイエンスＡＧからのバイフォール（Ｂａｙｆｏｌ（登録商標））ＣＲ（ポリカーボネート／ポリブチレンテレフタレートフォイル）、マクロフォール（Ｍａｋｒｏｆｏｌ（登録商標））ＴＰ、またはマクロフォール（Ｍａｋｒｏｆｏｌ（登録商標））ＤＥという名前を有するフォイルである。
【００２３】
ポリエチレンテレフタレートは、例えば、ポリアルキルエンテレフタル酸塩、特にポリブチレンテレフタレートである。
【００２４】
ＰＥＮは、特にデュポンテイジンフィルムルクセンブルクＳ．Ａ．によってカラデックス（Ｋａｌａｄｅｘ）（登録商標）およびテオネックス（Ｔｅｏｎｅｘ）（登録商標）という名前で販売されているＰＥＮである。
【００２５】
本発明の範囲内のＬＥＣは、基本的な機能部品として陽極、添加物として１以上の電解質、1以上の塩類またはさらなる添加物、例えば界面活性剤を含む発光ポリマーおよび陰極を備える電気工学構造エレメントであるとして理解される。発光層の構成は変わりうる。添加物は動作中にいくつかの機能を果たしうる。例えば、それらはイオン伝導体、陰イオンまたは陽イオンとして役立ちうる。さらに、添加物は、官能基化されるとともに、発光ポリマーと化学的に架橋されうる。最後に、ナノメータおよびマイクロメーターおよび量子ドットの大きさを有する金属粒は、発光ポリマー内へ拡散されうる。この層は、以下、ＬＥＰ層（ＬＥＰ＝発光ポリマー（light emitting polymer）)と呼ばれる。
【００２６】
上記ＬＥＣは、様々な形態の中に存在しうる。典型的な形態では、垂直配置、陽極、ＬＥＰ層および陰極は、上下に配置されている。代わりの配置では、平面配置、陽極、ＬＥＰ層および陰極も、互いに隣り合って配置されている。２つの相反する金属電極（陽極、陰極）は、このように印刷される準備ができたＬＥＰ層に、例えば設けることができる。電極は平行に、または別の形態に形成されうる。本発明による層状構造は、少なくとも１つのＬＥＣを備え、ＬＥＣが少なくとも１つのＬＥＰを備えるので、本発明による層状構造は、結果として少なくとも１つのＬＥＰをさらに備える。
【００２７】
さらに、ピクセルで構成された照明セグメント、例えば７セグメントディスプレイは、ほとんど任意に製造できる。このように、ＬＥＣはランプを表わすだけでなく、それ自体でディスプレイを形成する。
【００２８】
上記ＬＥＣは、さらに、いわゆるゲッター層（getter layer）を備えうる。このゲッター層は、基板から遠い陰極の側に、好ましくは配置されている。上記ゲッター層の目的は、個々の層または外部から来ることができる残りの湿気を吸収することである。照明エレメントの寿命は、それによって増加している。しかしながら、特に上記ＬＥＣが長い寿命を有する必要がない場合、ゲッター層は絶対に必要ではない。
【００２９】
ＯＬＥＤおよびＰＬＥＤを越えるＬＥＣの利点は、例えば、そのより単純な構造にある。
【００３０】
ＬＥＣと異なり、ＯＬＥＤおよびＰＬＥＤは、実質的に多くの層、例えば追加穴、電子入射層、穴または電子バリア層などを有している。さらに、それらの層は、約２，３００ナノメータの層厚さを要求し、これは印刷プロセスによってのみなんとか達成できる。ＯＬＥＤとＰＬＥＤの発光層の厚さは、約２，３０ｎｍでさえある。
【００３１】
他方、ＬＥＣが３つの層（陽極、ＬＥＰ、陰極）からなる最も単純な場合、ＬＥＰ層の厚さは、約数百ナノメータである。平面配置では、上記厚さは、さらに約数ミリメートル、すなわち、印刷技術によって問題なく達成可能な層の厚さでさえありうる。さらに、ＬＥＣの動作は、ＯＬＥＤおよびＰＬＥＤの場合であるよりＬＥＰの厚さの点から偏差にそれほど敏感ではない。
【００３２】
したがって、本発明によれば、ＬＥＣの全ての層は、単純な印刷プロセス、例えばスクリーン印刷、凹版印刷、フレキソ印刷、グラビア印刷、転写印刷、デジタル印刷、例えばインクジェット印刷または当業者に知られている他の印刷プロセス、またはスプレー塗装によって設けられる。これらのプロセスは、単純で安価であるが、ＯＬＥＤの場合には行なうことができない。
【００３３】
ＯＬＥＤおよびＰＬＥＤが動作する方法のために、それらは、適切な仕事関数（work function）を有する電極材料を必要とする。陰極、例えば、カルシウム、バリウムまたはマグネシウムから成る陰極は、周囲条件の下で非常に反応的で、速く酸化する。他方、ＬＥＣの場合、反応性および酸化の点から安定している、例えば銀またはアルミニウム電極が陰極として使用される。これは、本発明によれば、印刷プロセスによって、例えば、スクリーン印刷、凹版印刷、フレキソ印刷、グラビア印刷、転写印刷、デジタル印刷、例えばインクジェット印刷または当業者に知られている他の印刷プロセス、またはスプレー塗装によって設けられる。蒸気蒸着がＯＬＥＤおよびＰＬＥＤの場合には通常使用されている一方、次は、真空プロセスを要求する。さらに、ＬＥＣが動作する方法のために、仕事関数について、より低い要求がなされる。その結果、より大きな仕事関数を備えた電極材料が使用されうる。
【００３４】
ＬＥＣの層の化学的安定性のために、温度、気圧、大気の湿気または空気組成を制御または調整する必要なく、また、保護ガス雰囲気、例えば、最大の水および酸素含有量がそれぞれ０．１ｐｐｍの純粋窒素、または、同等の純粋酸素および乾燥ガスまたはガス混合物の雰囲気の必要さえなく、これらは準備されうる。
【００３５】
少なくとも１つのＬＥＣの長期間の安定性を保証するために、少なくとも１つのＬＥＣには、基板に面する側に第１バリア層が設けられている。これを保証するために、上記基板には、少なくとも一方の側、すなわちＬＥＣに面する側に、その全表面にわたって、または単に部分的に、しかし少なくとも１つのＬＥＣが少なくとも配置されている領域に第１バリア層が設けられている。しかしながら、さらに上記基板のＬＥＣから遠い側に第１バリア層が設けられうる。本発明の範囲内で、バリア層は、単層、または、それらのバリア特性の点から単層のように作用する複数の層である。
【００３６】
上記第１バリア層は、10-5から10-1g/m-2日の水蒸気透過性、好ましくは、10-4から10-2g/m-2日の水蒸気透過性、特に好ましくは、10-4から10-3g/m-2日の水蒸気透過性を有している。また、上記第１バリア層は、10-5から10-1cm3/m-2日の酸素透過性、好ましくは、10-4から10-2cm3/m-2日の酸素透過性、特に好ましくは、10-4から10-3cm3/m-2日の酸素透過性を有している。したがって、このバリア層は、ＯＬＥＤとＰＬＥＤに必要なものほど著しく高価ではない。
【００３７】
上記第１バリア層は、好ましくは、一連のポリマー層と無機物層とを備えている。ポリマー層は、典型的には光架橋性のあるモノマーまたはポリマー（例えばアクリレート）から成っている。単一のポリマー層の厚さは、約５００ｎｍである。無機物層は、典型的には例えばＳｉＯｘまたはＡｌ２Ｏ３の金属酸化物から成っている。単一の無機物層の厚さは、およそ５０ｎｍである。上記第１バリア層は、好ましくは、１〜１０層を備えている。したがって、バリア層の厚さは、およそ５００ｎｍからおよそ６０００ｎｍまでなる場合がある。
【００３８】
基板Ａ）に起因する個々のバリア層は、ロールツーロールプロセス（roll-to-roll process）で物理蒸着（ＰＶＤ）および化学蒸着（ＣＶＤ）によって設けられうる。
【００３９】
使用することができるバリア層は、例えば、ＷＯ００／３６６６５Ａ１およびＵＳ６２６８６９５Ｂ１に、開示されている。
【００４０】
上記基板には、少なくとも１つのＬＥＣに面する側に、全体の表面に関して、または単に部分的に、特に少なくとも１つのＬＥＣが配置されている領域に、電極層がさらに設けられている。ＬＥＣのために陽極層（略して陽極）である上記電極層は、典型的には、およそ１００ｎｍの厚さで、ＩＴＯ（インジウムスズ酸化物（indium tin oxide））、ＡＴＯ（アンチモニー酸化スズ（antimony tin oxide））、ＣＮＴ（ＣＮＴ＝カーボンナノチューブ（carbon nanotube））、例えばＳＷＣＮＴ（ＳＷＣＮＴ＝単層カーボンナノチューブ（single wall carbon nanotube））グラフェン、または本質的に例えばＰＥＤＯＴ：ＰＳＳ(ポリ(3,4-エチレンジオキシチオフェン（3,4-ethylenedioxythiophene）)ポリ(スチレンスルホン酸塩))（例えば、Ｈ．Ｃ．シュタークＧｍｂＨによる商標ＣＬＥＶＩＯＳ、およびアグファ-ゲヴァルト（Agfa-Gevaert）グループによる商標ＯＲＧＡＣＯＮが付されて販売されている）、またはポリアニリン、ポリピロールまたはポリチオフェンのような導電性ポリマーシステムを含んでいる。本発明によれば、陽極層も、印刷プロセス、例えばスクリーン印刷、凹版印刷、フレキソ印刷、グラビア印刷、転写印刷、デジタル印刷、例えばインクジェット印刷、または当業者に知られている他の印刷プロセス、またはスプレー塗装によって設けられる。ＩＴＯおよびＡＴＯは、ＰＶＤ、ＣＶＤ、スパッタリング、ディップ塗布、またはゾルゲル（sol-gel）プロセスによってさらに設けることができる。本質的に導電性ポリマーも真空架橋によって設けられうる。
【００４１】
相応して広範囲に提供された上記陽極層は、さらに基板のＬＥＣと同じ側に配置された他の電気工学構造エレメントのための電極として役立ちうる。
【００４２】
少なくとも１つのさらなる電気工学構造エレメントが、少なくとも１つのＬＥＣが配置されている基板の側だけでなく、反対側にも設けられるようになっているとき、基板の両側には、電極層が設けられうる。その後、電極層が互いに関して十分に絶縁されることが保証されなければならない。
【００４３】
さらに、一方側に、実質的に略全表面にわたって、上述したような第１バリア層およびＩＴＯの陽極が既に設けられているポリエチレンナフタレート（ＰＥＮ）の基板は、３ＭドイツＧｍｂＨによって販売されている。
【００４４】
陽極は、ほとんどの場合透明であり、電界発光する光は、それを通り抜けることができる。代わりに、陰極が透明な形式である場合がある。その場合、陽極は、光学上透明になりえるか、または部分的に透明になりえる。
【００４５】
平面の配置では、陽極と陰極の両方は、光学上不透明でありうる。例えば薄い銀または金からなりうる。
【００４６】
本発明の範囲内の「透明な」または「透明」は、層または問題になっている層順序が、６０％以上、好ましくは７０％以上、特に好ましくは８０％以上、最も好ましくは９０％以上のＬＥＣによって発せられた光の可視波長または赤外波長範囲の主要部分の中に透過性を有していることを意味するものとして理解される。さらに、層順序がこれまで言及されていないさらなる層を含む場合、これは本当である。
【００４７】
ゲッター層は、それを有する場合、好ましくは、基板から遠い陰極の側に配置され、例えば、陰極と、第２のバリア層で以下に記載される１つのキャリア層、または以下に記載されるような金属フィルムとの間である。上記ゲッター層およびキャリア層、または金属フィルムは、ＰＳＡフィルム（ＰＳＡ＝感圧接着剤（pressure sensitive adhesive）)または液体接着剤によってラミネート加工されうる。ゲッター層は、陰極に面するのと同様にキャリア層に面する側に設けられうる。本発明によると、印刷プロセスによって、例えばスクリーン印刷、凹版印刷、フレキソ印刷、グラビア印刷、転写印刷、デジタル印刷、例えばインクジェット印刷または当業者に知られている他の印刷プロセス、またはスプレー塗装によって設けられる。
【００４８】
少なくとも１つのＬＥＣの場合には、上記ＬＥＰが陽極層に設けられる。これも、本発明によれば、印刷プロセスによって、例えばスクリーン印刷、凹版印刷、フレキソ印刷、グラビア印刷、転写印刷、デジタル印刷、例えばインクジェット印刷または当業者に知られている他の印刷プロセス、またはスプレー塗装によって設けられる。
【００４９】
その後、少なくとも１つのＬＥＣのために陰極層（略して陰極）である、さらなる電極層は、ＬＥＰに設けられる。上記陰極層は、銀、アルミニウム、銅および／または金を含んでおり、本発明によれば、対応するペーストの印刷によって、例えばスクリーン印刷、凹版印刷、フレキソ印刷、グラビア印刷、転写印刷、デジタル印刷、例えばインクジェット印刷または当業者に知られている他の印刷プロセス、またはスプレー塗装によって設けられる。さらに、陽極層に適している材料は、陰極にも適している。
【００５０】
相応して広範囲に提供された上記陰極層は、さらに基板のＬＥＣと同じ側に配置された他の電気工学構造エレメントのための電極として役立ちうる。
【００５１】
電極への供給パワーに必要なストリップ導体に適した材料は、陽極および陰極に関係のあるパラグラフの下でリストされた物質である。これらの材料は、それらのパラグラフに同様にリストされた適用プロセスによって設けられうる。
【００５２】
少なくとも１つのＬＥＣの長期間の安定性を保証するために、少なくとも１つのＬＥＣは、基板から遠い側に第２バリア層が設けられている。この第２バリア層は、その全表面にわたって、または単に部分的に、しかし少なくとも１つのＬＥＣが配置されている領域について少なくとも基板をカバーすることができる。
【００５３】
第２バリア層の構成は、第１バリア層の構成に対応しうる。上記バリア層は、材料および特性の点から基板に対応しうるキャリア層に設けられる。上記第２バリア層は、基板に対する第１バリア層と同じ態様で、上記キャリア層に設けられうる。
【００５４】
第２バリア層を有するキャリア層は、バリア層がキャリア層のＬＥＣに面する側に配置されているような態様で、設けられている。
【００５５】
代わりに、第２バリア層を有するキャリア層は、バリア層がキャリア層のＬＥＣから遠い側に配置されているような態様で、設けられうる。
【００５６】
第２バリア層を有するキャリア層の代わりとして、金属フィルムも使用されうる。これは、水蒸気透過性および酸素透過性に関するバリア層と同等またはよりよい特性を有している。その結果、キャリア層はもはや必要ではない。
【００５７】
金属フィルムは、アルミニウム、金、銀、銅、クロミウムから実質的に成り、１０から２００μｍ、好ましくは５０から１００μｍ、特に好ましくは６０から８０μｍの厚さを有している。代わりに、上記金属フィルムは、例えば、ラミネーション、接着ボンディングまたは当業者に知られている別のプロセスによって、バリア層に対応する態様で、キャリア層に設けられうる。さらに代わりの実施形態では、基板Ａ）に起因する金属フィルムは、例えばスパッタリングのようなＰＶＤプロセスによって、キャリア層に設けられている。
【００５８】
第２バリア層を有するキャリア層、または金属フィルムは、好ましくは接着剤層、例えばＰＳＡ層（ＰＳＡ＝感圧接着剤（pressure sensitive adhesive）)によって、ＬＥＣおよび任意に他の領域に結合され、特にラミネートされる。ゲッター層が存在する場合、接着剤層は、ゲッター層が設けられる第２バリア層とＬＥＣとの間に導入されうる。続いて、上記接着剤層は、任意に適切なＵＶ放射線によって架橋されうる。
【００５９】
接着層を形成するためのさらなる可能性は、ＰＳＡフィルムの代わりに液体接着剤を使用することにある。この液体接着剤は、例えば、分配装置を使用して、または印刷プロセスによって、例えば、スクリーン印刷、凹版印刷、フレキソ印刷、グラビア印刷、転写印刷、デジタル印刷、例えばインクジェット印刷または当業者に知られている他の印刷プロセス、またはスプレー塗装によって設けられる。第２バリア層を有するキャリア層は、相応してＬＥＣおよび任意に他の領域上に配置され、適切なＵＶ放射線によってラミネートされ、そして架橋される。
【００６０】
金属フィルムがバリア層として使用される場合、さらに接着剤層は、陰極に関して絶縁層を形成する。
【００６１】
上記層状構造は、次のさらなる層および／またはコンポーネントを付加的に有しうる。任意に１以上の絶縁層、任意に１以上の保護層、任意に１以上の装飾層、任意に１以上のカラーフィルター、任意に１以上のシールド、それらのすべては、本発明によると、印刷プロセスによって設けられる。カラーフィルターが使用されるときに、それらは設けられることになっているので、ＬＥＣの光がそれらを通り抜ける。
【００６２】
ＬＥＰ層によって製造されたＬＥＣの光が発せられうるために、放射方向、すなわち、少なくとも１つのＬＥＣが設けられる基板の方向に設けられる層シーケンスは、透明でなければならない。本発明の範囲内の「透明な」または「透明」は、層または一連の問題になっている層が、６０％以上、好ましくは７０％以上、特に好ましくは８０％以上、最も好ましくは９０％以上のＬＥＣによって発せられた光の可視波長または赤外波長範囲の主要部分の中に透過性を有していることを意味するものとして理解される。さらに、層シーケンスがこれまで言及されていないさらなる層を含む場合、これは本当である。
【００６３】
少なくとも１つのＬＥＣとは別に、少なくとも１つのさらなる電気工学構造エレメントは、基板に設けられる。
【００６４】
電気工学構造エレメントは、例えばアンテナ、スイッチ、センサ、バッテリー、アキュムレーター(バッテリーとアキュムレーターは、ともに以下バッテリーと呼ばれる)、太陽電池、アクチュエーター、すなわち、電気エネルギーの援助によって移動を実行するか機械的な力を働かせるシステム、エネルギー変換器、すなわち、１つのエネルギー形式を別のエネルギー形式に変換するシステムである。さらなる電気工学構造エレメントは、当業者にとって十分に知られている。上記全ての電気工学構造エレメントは、印刷プロセスによって入手可能である。これに関連した適切な文献は、アンテナ：ＵＳ２００９／０６６６００Ａ１、スイッチ、センサー：ＵＳ２００９／０１０８９８５Ａ１、ＵＳ２００７／００３１１６１Ａ１、バッテリー：ＵＳ２００８／０６３９３１Ａ１、太陽電池：ＵＳ２００７／１６３６３８Ａ１、アクチュエーター、エネルギー変換器：ＷＯ２００９／０７４１９２Ａ１である。
【００６５】
少なくとも１つのＬＥＣおよび少なくとも１つのさらなる電気工学構造エレメントは、基板の表面法線に対して上下に、かつ互いに隣り合って配置されうる。上記表面法線は、平面上で垂直なベクトルであり、上記平面が、理論上は任意に小さいことが可能である。実施上の配慮のため、その平面の最も小さなユニットが、一辺の長さが１ｍｍの正方形によって、本発明のために記載されている。
【００６６】
可能であれば、また必要ならば、少なくとも１つのさらなる電気工学構造エレメントは、ＬＥＣの構造のために存在すると共にＬＥＣへの電源である層を有利に使用できる。これは、特に、陽極層、陰極層、第１バリア層、キャリア層を備えた第２バリア層、または金属フィルム、および接着剤層、電気ストリップ導体と同様に存在する場合には、装飾層において本当である。
【００６７】
上記電気ストリップ導体は、さらに、少なくとも１つのＬＥＣと、少なくとも１つのさらなる電気工学構造エレメントとを一緒に電気的に接続しうる。例えば、少なくとも１つのＬＥＣは、或るグループから選ばれた少なくとも１つのさらなる電気工学構造エレメントに電気的に接続されうる。上記グループは、アンテナ、スイッチ、センサ、バッテリー、太陽電池、アクチュエーター、エネルギー変換器、またはこれらの電気工学構造エレメントのうちの２以上の同一または異なる電気工学構造エレメントの組み合わせから成っている。上記さらなる電気構造エレメントは、一緒に電気的に接続されうる。
【００６８】
ＬＥＣが接続されている電気構造エレメントであって、さらに任意に一緒に電気的に接続されていて、バッテリーを含まない場合、高電圧電源、すなわち層状構造に配置されていない電源が必要である。そのような電源は、例えば層状構造を備える装置、製品、例えば上記装置が取り付けられている自動車のバッテリー、層状構造が、例えば家庭用電化製品に取り付けられているときの、高圧送電線網でありうる。
【００６９】
しかしながら、好ましくは、上記層状構造は、少なくとも１つのバッテリーを備えている。このバッテリーは、上記ＬＥＣ、および任意に層状構造のさらなる電気構造エレメントに動力を供給している。より好ましくは、上記層状構造は、ＬＥＣとバッテリーに加えて、アンテナ、スイッチ、センサ、太陽電池、アクチュエーター、エネルギー変換器、またはこれらの電気工学構造エレメントのうちの２以上の同一または異なる電気工学構造エレメントの組み合わせから成るグループから選ばれた少なくとも１つのさらなる電気工学構造エレメントを備えている。
【００７０】
上記少なくとも１つのさらなる電気工学構造エレメントも、一方側または両側にバリア層が設けられうる。その／それらの層は、上記ＬＥＣのためのバリア層を形成するように、同じ層でありうる。さらに、上記少なくとも１つの電気工学構造エレメントの場合に、上記バリア層が、上記ＬＥＣの場合に使用されていたものに対応する金属フィルムによって任意に形成されうる。
【００７１】
上述したように、上記層状構造は、全体として、基板、少なくとも１つのＬＥＣ、少なくとも１つのさらなる電気工学構造エレメント、ここで、少なくとも１つのＬＥＣおよび少なくとも１つのさらなる電気工学構造エレメントが、基板の表面法線に対して上下に、かつ互いに隣り合って配置されており、第１バリア層、陽極層、陰極層、キャリア層を備えるバリア層、または金属フィルム、接着剤層、および任意に例えば１以上の絶縁層、任意に１以上の保護層、任意に１以上の装飾層、任意に１以上のカラーフィルター、任意に１以上のシールドなどのさらなる層を備えている。上記層状構造の厚さは、２００μｍから３０００μｍまで、好ましくは５００μｍから２０００μｍまで、特に好ましくは８００μｍから１５００μｍまでである。
【００７２】
ユーザに魅力的で、かつ装置の動作を促進するために、層状構造は３次元成形領域を有しうる。本発明の範囲内で、３次元成形されたとは、層状構造の基板に基づいて、その基板上に少なくとも１つの表面法線があり、基板の前方側または後方側のどちらかに、上記表面法線は、基板の同じ側の少なくとも１つの他の表面法線に平行ではないことを意味している。基板の所望の値から＋／−２０μｍ未満の大きさの範囲内にある、正常の製造に関連する基板の表面の不均一は、ここでは考慮に入れられていない。
【００７３】
したがって、３次元成形されたということは、上記層状構造の製造のためのプロセスの少なくとも１つの任意のステップの間に、少なくとも１つの永久成形加工は、基板に関して、少なくとも１つの空間軸に対して生じたことを意味している。したがって、成形加工は、実質的に平らな表面に、または表面から、でこぼこまたは突起を作るだけではなく、例えば、上記表面を曲げること、折りたたむこと、または波形にすることも意味している。
【００７４】
上記層状構造は、バッテリー、アンテナ、スイッチ、センサ、太陽電池、アクチュエーターまたはエネルギー変換器が設けられている領域において、３次元で成形されうる。成形された領域における上記層状構造の曲率半径は、１０ｍｍ未満、好ましくは５ｍｍ未満、特に好ましくは２ｍｍ未満、最も好ましくは１ｍｍ未満でありうる。
【００７５】
しかしながら、好ましくは、上記層状構造は、バッテリー、アンテナ、スイッチ、センサ、太陽電池、アクチュエーターまたはエネルギー変換器が設けられている領域に上述の曲率半径を有するでこぼこまたは突起が設けられている。
【００７６】
本発明の範囲内で、曲率半径は、基板の中央平面で決定される。
【００７７】
成形加工中に、少なくとも１つのＬＥＣが設けられる層状構造の領域は、形成されないか、わずかだけ成形されることが保証されることになっている。なぜなら、バリア層が上述したような成形加工に持ちこたえず、したがって、それらのバリア特性が縮小されるからである。これはＬＥＣの寿命の縮小に結びつく。しかしながら、全体としての層状構造、したがって、バリア層の、１ｍ以上、好ましくは２ｍから１０ｍまで、特に好ましくは３ｍから５ｍまでの曲率半径での成形加工は、バリア層に損害を与えることなく、上記ＬＥＣの寿命時間をかなり短縮することになるだろう。
【００７８】
したがって、例えば、ＬＥＣと電気工学構造エレメントとの組み合わせ、例えば、スイッチとセンサとは、円形、楕円体、または他の幾何学的な形状を有し、上から見たとき、操作者の方へ出るスイッチが中間に位置するように成形され、平坦で、環状の、周辺で楕円体形状であるか、そうでなければ突起の周囲によって形成されるＬＥＣによって囲まれている。
【００７９】
代わりに、上記ＬＥＣは、そのような組み合わせの真ん中に平らに配置されうる。その一方で、対応する電気工学構造エレメントは、突起としてＬＥＣの周縁に続いている。
【００８０】
本発明に係る層状構造は、次のプロセスによって入手可能である
（１）全表面、または表面の一部の上に、少なくとも１つのバリア層および少なくとも１つの陽極層が設けられている基板（１）を準備するステップと、
（２）上記少なくとも１つの陽極層および任意の電気ストリップ導体を任意に組み立てるステップと、
（３）上記少なくとも１つのバリア層と少なくとも１つの陽極層との両方が提供されているエリアで、少なくとも１つのＬＥＰ層を上記基板（１）に設けるステップと、
（４）上記少なくとも１つのＬＥＰ層が配置されたエリアに少なくとも１つの陰極層を少なくとも設け、任意に電気ストリップ導体を設けるステップと、
（５）上記少なくとも１つのＬＥＣが配置されているエリアに接着剤層を少なくとも設けるステップと、
（６）上記少なくとも１つのＬＥＣが、２つのバリア層の間に位置するように配置されたエリアに少なくとも１つの金属フォイルまたは第２バリア層およびキャリア層を少なくとも設けるステップと、
（７）上記少なくとも１つのさらなる電気工学構造エレメント（４，５，８）を設けるステップと、
（８）さらなる電気工学構造エレメント、または複数のさらなる電気工学構造エレメント（４，５，８）を任意に設けるステップと
を備え、
１以上の電気ストリップ導体、任意に１以上の絶縁層、任意に１以上の保護層、任意に１以上の装飾層、任意に１以上のカラーフィルターが付加的に設けられ、
その後、上記層状構造は、少なくとも１つの領域で、および／または全体として、３次元成形され、
上記ＬＥＰ層、上記陰極層、上記接着剤層、任意に上記第２バリア層、上記電気ストリップ導体、存在する上記絶縁層、存在する上記保護層、および存在する上記装飾層が、任意に上記陽極層と同様に、印刷プロセスによって完全に設けられる。
【００８１】
上記プロセスにおいて
（ａ）上記ステップは、示されたシーケンスで実行され、または
（ｂ）上記ステップ（７）および任意にステップ（８）は、ステップ（２）後に、どの時点でも実行される。
【００８２】
本発明の内容の範囲内では、「少なくとも１つの導電層を組み立てる」ことは、層または問題になっている層順序が、例えば化学プロセス、レーザー切断、打ち抜きによって基板から取り除かれること、または、少なくとも１つの誘電層によって、例えば、印刷、具体的にはスクリーン印刷によって、ＬＥＣの動作に必要かつ／または動作システムのさらなる電気工学構造エレメントの動作に緩衝しない領域だけが上記少なくとも１つのＬＥＣのための電極（陽極）として維持されるまたは残されるような態様で絶縁層を設けることによって、覆われることを意味するとして理解される。上記電気ストリップ導体は、任意に対応する態様で構成されうる。または、それらは、少なくとも１つの導電層から積み重ねられうる。
【００８３】
３次元成形された層状構造を得るために、上記層状構造は、成形されなければならない。ＥＰ０３７１４２５Ａ２およびＷＯ２００９／０４３５３９Ａ２に開示されているように、成形加工は、アイソスタティック（isostatic）高圧成形加工によって例えば達成される。さらに、ＵＳ５９３２１６７Ａ、ＵＳ６２１０６２３Ｂ１およびＵＳ６２５７８６６Ｂ１に開示されているように、熱成形による成形加工が可能である。
【００８４】
平面部、すなわち、非加工部と、３次元成形された層状構造との両方は、ＥＰ０３７１４２５Ａ２およびＷＯ２００９／０４３５３９Ａ２に既に開示されているように、プラスチック材料をバックインジェクトされうる。
【００８５】
本発明に係る層状構造は、小さなおよび大きなディスプレイと制御エレメントとの製造、モバイル式または固定式の電子装置、あるいは小さなまたは大きな家庭用電化製品のためのケーシングエレメントの製造、または移動部品のないキーボードシステムの製造の中で使用されうる。
【００８６】
本発明に係る層状構造は、層シーケンスのための典型的な実施形態によって以下に非常に詳しく記載されている。そこでは、本発明に必須の特徴が、発明をそれに制限せずに強調されることになっている。
【００８７】
選ばれた実施例にもかかわらず、ＬＥＣおよび電気工学構造エレメントは、基板の表面法線に対して上下に配置され、ＬＥＰから見た時、ＬＥＰによって発せられた光は、陽極が配置されている方向に層状構造を残す。金属層が存在せず、ゲッター層が存在しない、または、ゲッター層が透明な場合、光は、陽極および陰極の両方向に層状構造を残すことができ、さらに他のすべての層が透明であれば、本発明によれば、陽極方向において必須であり、一般に陰極方向での場合である。
【実施例１】
【００８８】
シールド、スイッチ、キャリア層、バリア層、ゲッター層、接着剤層、陰極、ＬＥＰ、陽極、バリア層、基板、カラーフィルター、装飾フィルム。
【実施例２】
【００８９】
シールド、スイッチ、絶縁層、金属フィルム、ゲッター層、接着剤層、陰極、ＬＥＰ、陽極、バリア層、基板、カラーフィルター、装飾フィルム。
【実施例３】
【００９０】
キャリア層、バリア層、ゲッター層、接着剤層、陰極、ＬＥＰ、陽極、バリア層、基板、カラーフィルター、スイッチ、装飾フィルム。
【実施例４】
【００９１】
金属フィルム、ゲッター層、接着剤層、陰極、ＬＥＰ、陽極、バリア層、基板、カラーフィルター、スイッチ、装飾フィルム。
【実施例５】
【００９２】
キャリア層、バリア層、接着剤層、スイッチ、絶縁層、ゲッター層、絶縁層、陰極、ＬＥＰ、陽極、バリア層、基板、カラーフィルター、装飾フィルム。
【実施例６】
【００９３】
キャリア層、バリア層、ゲッター層、接着剤層、陰極、ＬＥＰ、陽極、バリア層、基板、カラーフィルター、接着剤層、スイッチ、キャリア層、装飾フィルム。
【実施例７】
【００９４】
金属フィルム、ゲッター層、接着剤層、陰極、ＬＥＰ、陽極、バリア層、基板、カラーフィルター、接着剤層、スイッチ、キャリア層、装飾フィルム。
【図面の簡単な説明】
【００９５】
本発明は、図面（図１）によって、さらに非常に詳しく以下に説明される。ここでまた、本発明に必須の特徴が発明をそれに制限せずに強調されることになっている。
【図１】層状構造を説明するための図である。
【発明を実施するための形態】
【００９６】
図１は、基板１、電気接触プラグ２、電気コネクション３、アンテナ４、センサ５、スイッチ６、ＬＥＣ７およびバッテリー８を備える層状構造を示している。図１に示すように、上記ＬＥＣが他のすべてのコンポーネント２−６に対してより低いレベルに配置されるように、上記層状構造は３次元成形されている。この場合、電気コネクション３だけが、層状構造の主要レベルとＬＥＣ７のより低いレベルとの間の移行に配置されている。しかしながら、原則として、層状構造のより低いレベルと残りのレベルとの間に３次元成形された移行領域に他のコンポーネントを配置することは可能である。
【図１】
2013534642.tif 000003
【国際調査報告】
2013534642.tif 000004
2013534642.tif 000005
2013534642.tif 000006
2013534642.tif 000007
2013534642.tif 000008
2013534642.tif 000009